(57)【要約】【課題】本発明は、建設現場等で水平を測る水平器に関する発明である。【解決手段】本発明は、先端が歯２ｅの形状をした左咬合部２ａと左挟持部２ｂと上中下接続部２ｆ、２ｇ、２ｈを備えた左連結部２ｃと左グリップ部２ｄからなる左咬合部本体２と、同じく先端が歯３ｅの形状をし第一水平器５を備えた右咬合部３ａと第二第三水平器６、７を備えた右挟持部３ｂと上中下接続部３ｆ、３ｇ、３ｈを備えた右連結部３ｃと右グリップ部３ｄからなる右咬合部本体３と、前記左右咬合部本体２、３を連結する連結部４とからなることを特徴とするクリップ式水平器１と、先端が歯３ｅの形状をし第一埋設部３ｊを設け内部に第一水平器５を備えた右咬合部３ａと第二埋設３ｋ部を設け内部に第二水平器６を備え及び第三埋設部３ｌを設け内部に第三水平器７を備えた右挟持部３ｄと上中下接続部３ｆ、３ｇ、３ｈを備えた右連結部３ｃとからなることを特徴とするクリップ式水平器１ａの構成とした。【選択図】図１
2006064492.tif 000002
【特許請求の範囲】
【請求項１】
先端が歯の形状をした左咬合部と左挟持部と上中下接続部を備えた左連結部と左グリップ部からなる左咬合部本体と、同じく先端が歯の形状をし第一水平器を備えた右咬合部と第二第及び三水平器を備えた右挟持部と上中下接続部を備えた右連結部と右グリップ部からなる右咬合部本体と、前記左右咬合部本体を連結する連結部とからなることを特徴とするクリップ式水平器。
【請求項２】
先端が歯の形状をしており第一埋設部を設け内部に第一水平器を備えた右咬合部と第二埋設部を設け内部に第二水平器を備えまた第三埋設部を設け内部に第三水平器を備えた右挟持部と上中下接続部を備えた右連結部とからなることを特徴とする請求項１に記載のクリップ式水平器。
【発明の詳細な説明】
【技術分野】
【０００１】
本発明は、建設現場等で水平を測る水平器に関する発明である。
【背景技術】
【０００２】
従来の水平器９は図１０に示すように、略長方形状の本体９ａに孔９ｃを穿設し、水平器９ｅを縦に設け、また前記本体９ａ中央上部に凹み９ｂを施し、内部に水平器９ｄを横に設けた構造であった。尚、特許文献１に記載の発明も公開されている。
【特許文献１】特開平０８−２０１０５７号公報
【０００３】
しかしながら、従来の水平器はある程度平面等の安定した場所でないと、測る事ができず、パイプ等の水平を測る際は手で押さえ測る必要があり、面倒であった。
【０００４】
また、磁器で固定するタイプの水平器等も存在したが、屋外での使用により、砂やゴミが付いて使用できなくなる事があった。
【発明の開示】
【発明が解決しようとする課題】
【０００５】
そこで、本発明は、不安定な場所でも測る事ができ、パイプ等の水平を測る際も手で押さえ測る必要がなく、また屋外での使用の際にも砂やゴミなどが付いて使用できなくなる事がないクリップ式水平器を提供することを目的とするものである。
【課題を解決するための手段】
【０００６】
本発明は、上記の課題を解決するために、先端が歯２ｅの形状をした左咬合部２ａと左挟持部２ｂと上中下接続部２ｆ、２ｇ、２ｈを備えた左連結部２ｃと左グリップ部２ｄからなる左咬合部本体２と、同じく先端が歯３ｅ形状をし第一水平器５を備えた右咬合部３ａと第二第及び三水平器６、７を備えた右挟持部３ｂと上中下接続部３ｆ、３ｇ、３ｈを備えた右連結部３ｃと右グリップ部３ｄからなる右咬合部本体３と、前記左右咬合部本体２、３を連結する連結部４とからなることを特徴とするクリップ式水平器１と、先端が歯３ｅの形状をし第一埋設部３ｊを設け内部に第一水平器５を備えた右咬合部３ａと第二埋設部３ｋを設け内部に第二水平器６を備え及び第三埋設部３ｌを設け内部に第三水平器７を備えた右挟持部３ｂと上中下接続部３ｆ、３ｇ、３ｈを備えた右連結部３ｃとからなることを特徴とするクリップ式水平器１ａの構成とした。
【発明の効果】
【０００７】
本発明のクリップ式水平器は、クリップに水平器を取り付けた事で安定しない場所や今まで測りにくかったパイプ等の水平を測る事ができ、また、クリップ式なので砂やゴミなどに左右されず、測る事ができる。
【０００８】
また、クリップ式であるため、水平を測る際に手で押さえる必要がないため、両手を別の作業に使用することができる。
【発明を実施するための最良の形態】
【０００９】
水平を測る場所や状況を選ばず正確に測る事ができる水平器という目的を、クリップ式とすることで実現した。
【実施例１】
【００１０】
以下に添附図面に基づき、本発明であるクリップ式水平器１について詳細に説明する。図１は、本発明であるクリップ式水平器１の正面図、図２はクリップ式水平器１の平面図、図３はクリップ式水平器１の背面図、図４はクリップ式水平器１の右斜視図、図５はクリップ式水平器１の右側面図である。
【００１１】
図１、図２に示すようにクリップ式水平器１は左咬合部本体２と右咬合部本体３および連結部４とからなる。左咬合部本体２は先端が歯２ｅになっている左咬合部２ａと左挟持部２ｂと上中下接続部２ｆ、２ｇ、２ｈを備えた左連結部２ｃと左グリップ部２ｄからなり、図２に示すように略Ｓ字の形状をしいる。
【００１２】
前記左咬合部本体２と同様に右咬合部本体３は先端が歯３ｅになっており第一水平器５を最上部の歯３ｅに備えた右咬合部３ａと第二第及び三水平器６、７を備えた右挟持部３ｂと上中下接続部３ｆ、３ｇ、３ｈを備えた右連結部３ｃと右グリップ部３ｄからなり、図２に示すように略Ｓ字の形状をしている。
【００１３】
図１、図２及び図３に示すように、連結部４は左連結部２ｃに取り付けられた上接続部２ｆと中接続部２ｇの間に右連結部３ｃに取り付けられた上接続部３ｆを嵌挿させ、右連結部３ｃに取り付けられた中接続部３ｇと下接続部３ｈの間に左連結部２ｃに取り付けられた下接続部２ｈを嵌挿させ、前記各接続部２ｆ、２ｇ、２ｈ、３ｆ、３ｇ、３ｈに穿設された孔に連結棒４ｂを挿通して連結されている。
【００１４】
また、図１に示すように連結棒４ｂにより前記左右咬合部本体２、３を連結する際、左咬合部本体２の中接続部２ｇと右咬合部本体３の中接続部３ｇの間にはバネ４ａを挟んでおり、バネ４ａも一緒に連結している。このバネ４ａにより左右咬合部２ａ、３ａは通常図２に示したようにお互いの歯２ｅ、３ｅが交差した状態となり、図１に示すように左右グリップ部２ｄ、３ｄを摘んで近づけることで前記歯２ｅ、３ｅを離し左右咬合部２ａ、３ａを広げることができる。
【００１５】
尚、連結部４による左右咬合部本体２、３の接続部分の並びは上接続部２ｆ、上接続部３ｆ、中接続部２ｇ、バネ４ａ、中接続部３ｇ、下接続部２ｈ、下接続部３ｈの順となっている。
【００１６】
図１に示すように、右咬合部３ａの先端の最上部の歯３ｅには第一水平器５が設置されており、前記第一水平器５は水平器本体５ａと留め具５ｂとからなる。前記留め具５ｂは直接歯３ｅに設置され、留め具５ｂに設けられた空間に前記水平器本体５ａが横向きに嵌挿されている。
【００１７】
図３で示すように、右挟持部３ｂには第二水平器６及び第三水平器７が設置されており、前記第二水平器６はは水平器本体６ａと留め具６ｂとからなり、前記第三水平器７は水平器本体７ａと留め具７ｂとからなる。
【００１８】
前記留め具６ｂは右挟持部３ｂの中央に直接設置され、留め具６ｂに設けられた空間に前記水平器本体６ａが縦向きに嵌挿されている。また、前記留め具７ｂは右挟持部３ｂの上方に直接設置され、留め具７ｂに設けられた空間に前記水平器本体７ａが横向きに挿嵌されている。尚、水平器本体６ａと水平器本体７ａは垂直の関係になるように設置されている。
【００１９】
図４及び図５に示すように、右咬合部本体３の右グリップ部３ｄにはグリップすべり止め３ｉが備えられている。同じように左咬合部本体２の左グリップ部２ｄにはグリップすべり止めが備えられている。
【００２０】
図６は本発明であるクリップ式水平器１の使用状態を示した斜視図である。図６に示すように測定対象物となるパイプ管８を左右咬合部２ａ、３ａと左右挟持部２ｂ、３ｂで挟んでいる。前述したように左右咬合部本体２、３を連結する際に備えたバネ４ａにより一度広げた左右咬合部本体２、３同士はお互いの歯２ｅ、３ｅを交差した元の状態に戻ろうとしパイプ管８をしっかりと挟みずれることがない。
【実施例２】
【００２１】
図７は本発明であるクリップ式水平器１ａの第２実施例の平面図、図８はクリップ式水平器１ａの第２実施例の右斜視図、図９はクリップ式水平器１ａの第２実施例の右側面図である。
【００２２】
クリップ式水平器１ａは左咬合部本体２と右咬合部本体３および連結部４とからなる。左咬合部本体２は先端が歯２ｅの形状をした左咬合部２ａと左挟持部２ｂと上中下接続部２ｆ、２ｇ、２ｈを備えた左連結部２ｃと左グリップ部２ｄからなり、図７に示すように略Ｓ字の形状をしている。
【００２３】
前記左咬合部本体２と同様に右咬合部本体３は先端が歯３ｅになっており第一埋設部３ｊを備えた右咬合部３ａと第二埋設部３ｋ及び第三埋設部３ｌを備えた右挟持部３ｂと上中下接続部３ｆ、３ｇ、３ｈを備えた右連結部３ｃと右グリップ部３ｄからなり図７に示すように略Ｓ字の形状をしている。
【００２４】
図８及び図９に示すように、前記第一埋設部３ｊは透明で第一水平器本体５ａを内設しており、第一水平器本体５ａは歯３ｅと平行の関係にある。また、前記第二埋設部３ｋ及び第三埋設部３ｌも透明でそれぞれ第二水平器本体６ａ、第三水平器本体７ａを内設している。前記第二水平器本体６ａは前記第一水平器本体５ａに対して垂直の関係で設置され、第三水平器本体７ａは第二水平器本体６ａに対して垂直の関係で設置されている。
【００２５】
前述のように本発明であるクリップ式水平器１ａは前記クリップ式水平器１と右咬合部本体３以外は同様の構造をしており、左右咬合部本体２、３を連結部４により連結しバネ４ａを介したことで左右咬合部本体２、３同士が開閉する仕組みとなっている。
【００２６】
即ち、連結部４による左右咬合部本体２、３の接続部分の並びは上接続部２ｆ、上接続部３ｆ、中接続部２ｇ、バネ４ａ、中接続部３ｇ、下接続部２ｈ、下接続部３ｈの順となり、通常の状態では左右咬合部本体２、３の歯２ｅ、３ｅ同士が交差し、左右グリップ部２ｄ、３ｄを摘んで近づけることで前記歯２ｅ、３ｅの交差が外れ、左右咬合部２ａ、３ａが開いて対象物を挟むことができる。
【図面の簡単な説明】
【００２７】
【図１】本発明であるクリップ式水平器の正面図である。
【図２】本発明であるクリップ式水平器の平面図である。
【図３】本発明であるクリップ式水平器の背面図である。
【図４】本発明であるクリップ式水平器の右斜視図である。
【図５】本発明であるクリップ式水平器の右側面図である。
【図６】本発明であるクリップ式水平器の使用状態を示した斜視図である。
【図７】本発明であるクリップ式水平器の第２実施例の平面図である。
【図８】本発明であるクリップ式水平器の第２実施例の右斜視図である。
【図９】本発明であるクリップ式水平器の第２実施例の右側面図である。
【図１０】従来の水平器の正面図である。
【符号の説明】
【００２８】
１      クリップ式水平器
１ａ    クリップ式水平器
２      左咬合部本体    
２ａ    左咬合部        
２ｂ    左挟持部        
２ｃ    左連結部        
２ｄ    左グリップ部    
２ｅ    歯             
２ｆ    上接続部        
２ｇ    中接続部        
２ｈ    下接続部        
３      右咬合部本体    
３ａ    右咬合部        
３ｂ    右挟持部        
３ｃ    右連結部        
３ｄ    右グリップ部    
３ｅ    歯             
３ｆ    上接続部        
３ｇ    中接続部        
３ｈ    下接続部        
３ｉ    グリップすべり止め     
３ｊ    第一埋設部     
３ｋ    第二埋設部
３ｌ    第三埋設部
４      連結部          
４ａ    バネ            
４ｂ    連結棒          
５      第一水平器     
５ａ    水平器本体     
５ｂ    留め具          
６      第二水平器     
６ａ    水平器本体     
６ｂ    留め具          
７      第三水平器     
７ａ    水平器本体     
７ｂ    留め具          
８      パイプ管        
９      従来の水平器    
９ａ    本体            
９ｂ    凹み            
９ｃ    孔             
９ｄ    水平器          
９ｅ    水平器          
【図１】
2006064492.tif 000003
【図２】
2006064492.tif 000004
【図３】
2006064492.tif 000005
【図４】
2006064492.tif 000006
【図５】
2006064492.tif 000007
【図６】
2006064492.tif 000008
【図７】
2006064492.tif 000009
【図８】
2006064492.tif 000010
【図９】
2006064492.tif 000011
【図１０】
2006064492.tif 000012